【手続補正書】
【提出日】平成26年11月18日(2014.11.18)
【手続補正１】
【補正対象書類名】特許請求の範囲
【補正対象項目名】全文
【補正方法】変更
【補正の内容】
【特許請求の範囲】
【請求項１】
ポリ（プロピレンカーボネート）ポリオール組成物であって、該組成物は、
ｉ．少なくとも９５％の−ＯＨ末端基と、
ｉｉ．約−２０℃〜約６０℃のガラス転移温度（Ｔｇ）と、
ｉｉｉ．２未満の多分散指数（ＰＤＩ）と、
ｉｖ．１５ｋＤａ未満のＭｎと、
ｖ．ポリカーボネート鎖中の隣接するモノマー単位間の９５％を上回るカーボネート結合と、
を有することを特徴とし、
該組成物は、式Ｔ−Ｙ−Ａ−（Ｙ−Ｔ）ｎを有するＰ１で示されるポリマー鎖を含み、
式中、各−Ｔは、
【化１−１】
2013543929.tif 000001
（式中、Ｅは、酸化プロピレンから誘導されるＣ３単位であり、
Ｐは、約５〜約７５の範囲である）
からなる群から独立して選択される式を有するポリカーボネート鎖であり、
各Ｙ基は、エチレングリコールの１つ以上の繰り返し単位を含み、
−Ａ−は、多価部分であり、
該−Ｙ−Ａ−（Ｙ−）ｎ部分は、３個、４個、５個、または６個の水酸基を有するポリオールから誘導され、
ｎは、２以上５以下である、
ポリ（プロピレンカーボネート）ポリオール組成物。
【請求項２】
前記Ｐ１ポリマー鎖が、式：
【化４−１】
2013543929.tif 000002
を有し、式中、各ｚが独立して、１〜１０である、請求項１に記載のポリ（プロピレンカーボネート）ポリオール組成物。
【請求項３】
前記組成物中のポリ（プロピレンカーボネート）の重量パーセントが９３％を上回ることを特徴とする、請求項１または２に記載のポリ（プロピレンカーボネート）ポリオール組成物。
【請求項４】
前記組成物中のポリ（プロピレンカーボネート）の重量パーセントが９５％を上回ることを特徴とする、請求項３に記載のポリ（プロピレンカーボネート）ポリオール組成物。
【請求項５】
前記組成物中のポリ（プロピレンカーボネート）の重量パーセントが９７％を上回ることを特徴とする、請求項４に記載のポリ（プロピレンカーボネート）ポリオール組成物。
【請求項６】
前記組成物中のポリ（プロピレンカーボネート）の重量パーセントが９８％を上回ることを特徴とする、請求項５に記載のポリ（プロピレンカーボネート）ポリオール組成物。
【請求項７】
前記組成物中のポリ（プロピレンカーボネート）の重量パーセントが９９％を上回ることを特徴とする、請求項６に記載のポリ（プロピレンカーボネート）ポリオール組成物。
【請求項８】
前記組成物中のプロピレンカーボネートの重量パーセントが３％未満であることを特徴とする、請求項１または２に記載のポリ（プロピレンカーボネート）ポリオール組成物。
【請求項９】
前記組成物中のプロピレンカーボネートの重量パーセントが２％未満であることを特徴とする、請求項８に記載のポリ（プロピレンカーボネート）ポリオール組成物。
【請求項１０】
前記組成物中のプロピレンカーボネートの重量パーセントが１％未満であることを特徴とする、請求項９に記載のポリ（プロピレンカーボネート）ポリオール組成物。
【請求項１１】
前記組成物が約−２０℃〜約３０℃のＴｇを有することを特徴とする、請求項１または２に記載のポリ（プロピレンカーボネート）ポリオール組成物。
【請求項１２】
前記組成物が約０℃〜約３０℃のＴｇを有することを特徴とする、請求項１１に記載のポリ（プロピレンカーボネート）ポリオール組成物。
【請求項１３】
前記組成物が約−１０℃〜約２０℃のＴｇを有することを特徴とする、請求項１１に記載のポリ（プロピレンカーボネート）ポリオール組成物。
【請求項１４】
前記組成物が約５℃〜約１５℃のＴｇを有することを特徴とする、請求項１３に記載のポリ（プロピレンカーボネート）ポリオール組成物。
【請求項１５】
前記組成物が１．４未満のＰＤＩを有することを特徴とする、請求項１または２に記載のポリ（プロピレンカーボネート）ポリオール組成物。
【請求項１６】
前記組成物が１．３未満のＰＤＩを有することを特徴とする、請求項１５に記載のポリ（プロピレンカーボネート）ポリオール組成物。
【請求項１７】
前記組成物が１．２未満のＰＤＩを有することを特徴とする、請求項１６に記載のポリ（プロピレンカーボネート）ポリオール組成物。
【請求項１８】
前記組成物が１．１未満のＰＤＩを有することを特徴とする、請求項１７に記載のポリ（プロピレンカーボネート）ポリオール組成物。
【請求項１９】
前記組成物が１．０５未満のＰＤＩを有することを特徴とする、請求項１８に記載のポリ（プロピレンカーボネート）ポリオール組成物。
【請求項２０】
前記組成物が約１ｋＤａ〜約８ｋＤａのＭｎを有することを特徴とする、請求項１または２に記載のポリ（プロピレンカーボネート）ポリオール組成物。
【請求項２１】
前記組成物が約３ｋＤａのＭｎを有することを特徴とする、請求項２０に記載のポリ（プロピレンカーボネート）ポリオール組成物。
【請求項２２】
構造：
【化５−１】
2013543929.tif 000003
を有し、前記組成物のＭｎが約２．５ｋＤａ〜約４ｋＤａの範囲である、請求項１に記載のポリ（プロピレンカーボネート）ポリオール組成物。
【請求項２３】
構造：
【化６−１】
2013543929.tif 000004
を有し、式中、各ｚが独立して、１〜１０であり、各ｐが独立して、約５〜約７５であり、前記組成物のＭｎが約２．５ｋＤａ〜約６ｋＤａの範囲である、請求項１に記載のポリ（プロピレンカーボネート）ポリオール組成物。
【請求項２４】
構造：
【化７−１】
2013543929.tif 000005
を有し、式中、各ｚが独立して、１〜１０であり、各ｐが独立して、約５〜約７５であり、前記組成物のＭｎが約２．５ｋＤａ〜約６ｋＤａの範囲である、請求項１に記載のポリ（プロピレンカーボネート）ポリオール組成物。
【請求項２５】
構造：
【化８−１】
2013543929.tif 000006
を有し、式中、各ｚが独立して、１〜１０であり、各ｐが独立して、約５〜約７５であり、前記組成物のＭｎが約２．５ｋＤａ〜約６ｋＤａの範囲である、請求項１に記載のポリ（プロピレンカーボネート）ポリオール組成物。
【手続補正２】
【補正対象書類名】明細書
【補正対象項目名】００１１
【補正方法】変更
【補正の内容】
【００１１】
特定の実施形態において、Ｙ基は、エチレングリコールもしくはプロピレングリコールの１つまたは複数の反復基であるか、またはそれを含む。
一実施形態において、例えば、以下の項目が提供される。
（項目１）
ｉ．少なくとも９５％の−ＯＨ末端基と、
ｉｉ．約−２０℃〜約６０℃のガラス転移温度（Ｔｇ）と、
ｉｉｉ．２未満の多分散指数（ＰＤＩ）と、
ｉｖ．１５ｋＤａ未満のＭｎと、
ｖ．ポリカーボネート鎖中の隣接するモノマー単位間の９５％を上回るカーボネート結合と、
を有することを特徴とする、ポリ（プロピレンカーボネート）ポリオール組成物。
（項目２）
式Ｔ−Ｙ−Ａ−（Ｙ−Ｔ）ｎを有するＰ１で示されるポリマー鎖を含み、
式中、各−Ｔは、
【化１−１】
2013543929.tif 000007
（式中、Ｅは、酸化プロピレンから誘導されるＣ３単位であり、
Ｐは、約５〜約７５の範囲である）からなる群から独立して選択される式を有するポリカーボネート鎖であり、
各Ｙ基は、独立して、エポキシドＣＯ２コポリマーの鎖成長を開始することができる官能基の結合型であり、各炭化水素基の１つのメチレン単位が−Ｏ−で置換された二価Ｃ２−５直鎖状もしくは分岐状飽和炭化水素鎖の１つまたは複数の繰り返し単位を場合により含み、
−Ａ−は、共有結合、ヘテロ原子、または多価部分であり、
ｎは、１以上１０以下である、
項目１に記載のポリ（プロピレンカーボネート）ポリオール組成物。
（項目３）
ｎが１である、項目２に記載のポリ（プロピレンカーボネート）ポリオール組成物。
（項目４）
−Ａ−が酸素である、項目３に記載のポリ（プロピレンカーボネート）ポリオール組成物。
（項目５）
−Ａ−が共有結合である、項目３に記載のポリ（プロピレンカーボネート）ポリオール組成物。
（項目６）
各Ｙ基が１単位のプロピレングリコールを含む、項目４に記載のポリ（プロピレンカーボネート）ポリオール組成物。
（項目７）
前記Ｐ１ポリマー鎖が、式：
【化２−１】
2013543929.tif 000008
を有する、項目６に記載のポリ（プロピレンカーボネート）ポリオール組成物。
（項目８）
各Ｙ基がエチレングリコールの１つ以上の繰り返し単位を含む、項目３に記載のポリ（プロピレンカーボネート）ポリオール組成物。
（項目９）
前記Ｐ１ポリマー鎖が、式：
【化３−１】
2013543929.tif 000009
を有し、式中、ｚが１以上１０以下である、項目８に記載のポリ（プロピレンカーボネート）ポリオール組成物。
（項目１０）
前記エチレングリコールの繰り返し単位がＰＥＧ４００に対応する、項目９に記載のポリ（プロピレンカーボネート）ポリオール組成物。
（項目１１）
ｎが２以上１０以下であり、−Ａ−が多価部分である、項目２に記載のポリ（プロピレンカーボネート）ポリオール組成物。
（項目１２）
前記−Ｙ−Ａ−（Ｙ−）ｎ部分が、３個、４個、５個、または６個の水酸基を有するポリオールから誘導される、項目１１に記載のポリ（プロピレンカーボネート）ポリオール組成物。
（項目１３）
各Ｙ基がエチレングリコールの１つ以上の繰り返し単位を含む、項目１２に記載のポリ（プロピレンカーボネート）ポリオール組成物。
（項目１４）
前記Ｐ１ポリマー鎖が、式：
【化４−１】
2013543929.tif 000010
を有し、式中、各ｚが独立して、１〜１０である、項目１３に記載のポリ（プロピレンカーボネート）ポリオール組成物。
（項目１５）
前記組成物中のポリ（プロピレンカーボネート）の重量パーセントが９０％を上回ることを特徴とする、項目１〜１４のいずれか１項に記載のポリ（プロピレンカーボネート）ポリオール組成物。
（項目１６）
前記組成物中のポリ（プロピレンカーボネート）の重量パーセントが９２％を上回ることを特徴とする、項目１５に記載のポリ（プロピレンカーボネート）ポリオール組成物。
（項目１７）
前記組成物中のポリ（プロピレンカーボネート）の重量パーセントが９３％を上回ることを特徴とする、項目１６に記載のポリ（プロピレンカーボネート）ポリオール組成物。
（項目１８）
前記組成物中のポリ（プロピレンカーボネート）の重量パーセントが９５％を上回ることを特徴とする、項目１７に記載のポリ（プロピレンカーボネート）ポリオール組成物。
（項目１９）
前記組成物中のポリ（プロピレンカーボネート）の重量パーセントが９７％を上回ることを特徴とする、項目１８に記載のポリ（プロピレンカーボネート）ポリオール組成物。
（項目２０）
前記組成物中のポリ（プロピレンカーボネート）の重量パーセントが９８％を上回ることを特徴とする、項目１９に記載のポリ（プロピレンカーボネート）ポリオール組成物。
（項目２１）
前記組成物中のポリ（プロピレンカーボネート）の重量パーセントが９９％を上回ることを特徴とする、項目２０に記載のポリ（プロピレンカーボネート）ポリオール組成物。
（項目２２）
前記組成物中のプロピレンカーボネートの重量パーセントが１０％未満であることを特徴とする、項目１〜１４のいずれか１項に記載のポリ（プロピレンカーボネート）ポリオール組成物。
（項目２３）
前記組成物中のプロピレンカーボネートの重量パーセントが５％未満であることを特徴とする、項目２２に記載のポリ（プロピレンカーボネート）ポリオール組成物。
（項目２４）
前記組成物中のプロピレンカーボネートの重量パーセントが３％未満であることを特徴とする、項目２３に記載のポリ（プロピレンカーボネート）ポリオール組成物。
（項目２５）
前記組成物中のプロピレンカーボネートの重量パーセントが２％未満であることを特徴とする、項目２４に記載のポリ（プロピレンカーボネート）ポリオール組成物。
（項目２６）
前記組成物中のプロピレンカーボネートの重量パーセントが１％未満であることを特徴とする、項目２５に記載のポリ（プロピレンカーボネート）ポリオール組成物。
（項目２７）
前記組成物が約−２０℃〜約３０℃のＴｇを有することを特徴とする、項目１〜１４のいずれか１項に記載のポリ（プロピレンカーボネート）ポリオール組成物。
（項目２８）
前記組成物が約０℃〜約３０℃のＴｇを有することを特徴とする、項目２７に記載のポリ（プロピレンカーボネート）ポリオール組成物。
（項目２９）
前記組成物が約−１０℃〜約２０℃のＴｇを有することを特徴とする、項目２７に記載のポリ（プロピレンカーボネート）ポリオール組成物。
（項目３０）
前記組成物が約５℃〜約１５℃のＴｇを有することを特徴とする、項目２９に記載のポリ（プロピレンカーボネート）ポリオール組成物。
（項目３１）
前記組成物が１．７未満のＰＤＩを有することを特徴とする、項目１〜１４のいずれか１項に記載のポリ（プロピレンカーボネート）ポリオール組成物。
（項目３２）
前記組成物が１．５未満のＰＤＩを有することを特徴とする、項目３１に記載のポリ（プロピレンカーボネート）ポリオール組成物。
（項目３３）
前記組成物が１．４未満のＰＤＩを有することを特徴とする、項目３２に記載のポリ（プロピレンカーボネート）ポリオール組成物。
（項目３４）
前記組成物が１．３未満のＰＤＩを有することを特徴とする、項目３３に記載のポリ（プロピレンカーボネート）ポリオール組成物。
（項目３５）
前記組成物が１．２未満のＰＤＩを有することを特徴とする、項目３４に記載のポリ（プロピレンカーボネート）ポリオール組成物。
（項目３６）
前記組成物が１．１未満のＰＤＩを有することを特徴とする、項目３５に記載のポリ（プロピレンカーボネート）ポリオール組成物。
（項目３７）
前記組成物が１．０５未満のＰＤＩを有することを特徴とする、項目３６に記載のポリ（プロピレンカーボネート）ポリオール組成物。
（項目３８）
前記組成物が１０ｋＤａ未満のＭｎを有することを特徴とする、項目１〜１４のいずれか１項に記載のポリ（プロピレンカーボネート）ポリオール組成物。
（項目３９）
前記組成物が約１ｋＤａ〜約８ｋＤａのＭｎを有することを特徴とする、項目３８に記載のポリ（プロピレンカーボネート）ポリオール組成物。
（項目４０）
前記組成物が約３ｋＤａのＭｎを有することを特徴とする、項目３９に記載のポリ（プロピレンカーボネート）ポリオール組成物。
（項目４１）
構造：
【化５−１】
2013543929.tif 000011
を有し、前記組成物のＭｎが約２．５ｋＤａ〜約４ｋＤａの範囲である、項目２に記載のポリ（プロピレンカーボネート）ポリオール組成物。
（項目４２）
構造：
【化６−１】
2013543929.tif 000012
を有し、式中、各ｚが独立して、１〜１０であり、各ｐが独立して、約５〜約７５であり、前記組成物のＭｎが約２．５ｋＤａ〜約６ｋＤａの範囲である、項目２に記載のポリ（プロピレンカーボネート）ポリオール組成物。
（項目４３）
構造：
【化７−１】
2013543929.tif 000013
を有し、式中、各ｚが独立して、１〜１０であり、各ｐが独立して、約５〜約７５であり、前記組成物のＭｎが約２．５ｋＤａ〜約６ｋＤａの範囲である、項目２に記載のポリ（プロピレンカーボネート）ポリオール組成物。
（項目４４）
構造：
【化８−１】
2013543929.tif 000014
を有し、式中、各ｚが独立して、１〜１０であり、各ｐが独立して、約５〜約７５であり、前記組成物のＭｎが約２．５ｋＤａ〜約６ｋＤａの範囲である、項目２に記載のポリ（プロピレンカーボネート）ポリオール組成物。